(57)【要約】【課題】筐体に収容された状態及び単体の状態のいずれの状態でも被測定装置を測定することができる測定モジュールを提供する。【解決手段】測定モジュール２０は、ＤＵＴ３が接続可能な接続端子２１と、バックプレーンコネクタ３１に接続可能なバックプレーンコネクタ２７と、前段回路２０ａ及び後段回路２０ｂと、を備え、前段回路２０ａは、一端側に接続端子２１を有し、後段回路２０ｂは、他端側にバックプレーンコネクタ２７を有し、シャーシ１０に収容された状態で使用される場合には、前段回路２０ａと後段回路２０ｂとが第１の通信ケーブル２９により接続され、ＤＵＴ３の測定を制御する制御装置７０がバックプレーン３０に接続された状態でＤＵＴ３を測定し、単体の状態で使用される場合には、前段回路２０ａと制御装置７０とが第３の通信ケーブル５により接続された状態でＤＵＴ３を測定する構成を有する。【選択図】図１
2018129740.tif 000002
【特許請求の範囲】
【請求項１】
コネクタ（３１）を備えたバックプレーン（３０）を有する筐体（１０）に収容可能であって被測定装置（３）の測定を行う測定モジュール（２０）において、
第１の一端側及び第１の他端側を有する第１の回路（２０ａ）と、
第２の一端側及び第２の他端側を有する第２の回路（２０ｂ）と、
を備え、
前記第１の回路は、
前記第１の一端側に設けられ前記被測定装置が接続可能な第１の接続手段（２１）と、
前記第１の他端側に設けられ前記第２の一端側に電気的に接続可能な第２の接続手段（２４ａ）と、
前記測定を行う測定部（２２）と、
通信を行う第１の通信部（２３）と、
を有し、
前記第２の回路は、
前記第２の一端側に設けられ前記第２の接続手段に電気的に接続可能な第３の接続手段（２５ａ）と、
前記第２の他端側に設けられ前記コネクタに接続可能な第４の接続手段（２７）と、
通信を行う第２の通信部（２６）と、
を有することを特徴とする測定モジュール。
【請求項２】
前記第２及び前記第３の接続手段は、少なくとも１つの通信規格に準拠したコネクタであることを特徴とする請求項１に記載の測定モジュール。
【請求項３】
前記測定モジュールは、所定のパルスパターンのテスト信号を生成して前記被測定装置に出力するパルスパターン発生器（５１）、前記被測定装置のビット誤り率を検出する誤り率検出器（５０）、及び前記被測定装置からの出力信号の波形を表示するサンプリングオシロスコープ（６０）のうちの少なくともいずれか１つを備えたことを特徴とする請求項１又は請求項２に記載の測定モジュール。
【請求項４】
請求項１から請求項３までのいずれか１項に記載の測定モジュールと、前記測定を制御する制御装置（７０）と、を備えた測定システム（１、６）であって、
前記測定モジュールが前記筐体に収容された状態で使用される場合には、
前記第２の接続手段と前記第３の接続手段とが、前記第４の接続手段と前記コネクタとが、前記バックプレーンと前記制御装置とが、それぞれ接続された状態で、
前記測定部は、前記被測定装置を測定するものであり、
前記第１の通信部は、前記第２の通信部及び前記バックプレーンを介して前記測定部が測定した測定データを前記制御装置に送信するものであり、
前記測定モジュールが前記筐体に収容されずに単体の状態で使用される場合には、
前記第２の接続手段と前記制御装置とが接続された状態で、
前記測定部は、前記被測定装置を測定するものであり、
前記第１の通信部は、前記測定部が測定した測定データを前記制御装置に送信するものであることを特徴とする測定システム。
【請求項５】
請求項４に記載の測定システムを用いて前記被測定装置を測定する測定方法であって、
前記測定モジュールが前記筐体に収容された状態で使用される場合には、
前記第２の接続手段と前記第３の接続手段とが、前記第４の接続手段と前記コネクタとが、前記バックプレーンと前記制御装置とが、それぞれ接続された状態で、
前記測定部が、前記被測定装置を測定するステップと、
前記第１の通信部が、前記第２の通信部及び前記バックプレーンを介して前記測定部が測定した測定データを前記制御装置に送信するステップと、
を含み、
前記測定モジュールが前記筐体に収容されずに単体の状態で使用される場合には、
前記第２の接続手段と前記制御装置とが接続された状態で、
前記測定部が、前記被測定装置を測定するステップと、
前記第１の通信部が、前記測定部が測定した測定データを前記制御装置に送信するステップと、
を含むことを特徴とする測定方法。
【発明の詳細な説明】
【技術分野】
【０００１】
本発明は、測定モジュール、測定システム及び測定方法に関する。
【背景技術】
【０００２】
従来、各種の測定を行う測定モジュールを備えた測定装置が知られている（例えば、特許文献１参照）。
【０００３】
特許文献１に記載された従来のものは、外部制御装置の制御により被測定装置に対して各種の測定を行う測定モジュールと、測定モジュールを複数収容可能な筐体と、外部制御装置と情報の授受を行うためのハブと、を備えている。
【０００４】
この構成により、従来のものは、外部制御装置がハブを介して制御することにより、各種測定が行えるようになっている。
【先行技術文献】
【特許文献】
【０００５】
【特許文献１】特開２０１５−２３６７号公報
【発明の概要】
【発明が解決しようとする課題】
【０００６】
しかしながら、従来のものでは、測定モジュールが専用の筐体に収容された状態で被測定装置を測定する構成となっているので、測定モジュールのみを単体の状態で使用することはできなかった。そのため、従来のものでは、測定モジュールのみで簡便に使用したいというニーズや、その測定モジュールを筐体に収容した状態でも使用したいというニーズには対応できなかったので、その対応が望まれていた。
【０００７】
本発明は、このような事情に鑑みてなされたものであり、筐体に収容された状態及び単体の状態のいずれの状態でも被測定装置を測定することができる測定モジュール、測定システム及び測定方法を提供することを目的とする。
【課題を解決するための手段】
【０００８】
本発明の請求項１に係る測定モジュールは、コネクタ（３１）を備えたバックプレーン（３０）を有する筐体（１０）に収容可能であって被測定装置（３）の測定を行う測定モジュール（２０）において、第１の一端側及び第１の他端側を有する第１の回路（２０ａ）と、第２の一端側及び第２の他端側を有する第２の回路（２０ｂ）と、を備え、前記第１の回路は、前記第１の一端側に設けられ前記被測定装置が接続可能な第１の接続手段（２１）と、前記第１の他端側に設けられ前記第２の一端側に電気的に接続可能な第２の接続手段（２４ａ）と、前記測定を行う測定部（２２）と、通信を行う第１の通信部（２３）と、を有し、前記第２の回路は、前記第２の一端側に設けられ前記第２の接続手段に電気的に接続可能な第３の接続手段（２５ａ）と、前記第２の他端側に設けられ前記コネクタに接続可能な第４の接続手段（２７）と、通信を行う第２の通信部（２６）と、を有する構成を有している。
【０００９】
この構成により、本発明の請求項１に係る測定モジュールは、被測定装置側の第１の回路と、バックプレーン側の第２の回路と、第１の回路の第１の他端側に設けられた第２の接続手段と、第２の回路の第２の一端側に設けられた第３の接続手段と、を備え、第２の接続手段と第３の接続手段とを電気的に接続可能としたので、次の２つの測定の形態のいずれか一方をユーザに選択させることができる。
【００１０】
すなわち、本発明の請求項１に係る測定モジュールは、測定モジュールが筐体に収容された状態で使用される場合には、第２の接続手段と第３の接続手段とが接続され、被測定装置の測定を制御する制御装置がバックプレーンに接続された状態で、第１及び第２の通信部が制御装置と通信し、測定部の測定データを制御装置に送信することにより、被測定装置を測定することができる。
【００１１】
一方、本発明の請求項１に係る測定モジュールは、測定モジュールが筐体に収容されずに単体の状態で使用される場合には、第２の接続手段に制御装置が接続された状態で、第１の通信部が制御装置と通信し、測定部の測定データを制御装置に送信することにより、被測定装置を測定することができる。
【００１２】
したがって、本発明の請求項１に係る測定モジュールは、筐体に収容された状態及び単体の状態のいずれの状態でも被測定装置を測定することができる。
【００１３】
本発明の請求項２に係る測定モジュールは、前記第２及び前記第３の接続手段は、少なくとも１つの通信規格に準拠したコネクタである構成を有している。
【００１４】
この構成により、本発明の請求項２に係る測定モジュールは、少なくとも１つの通信規格に準拠したコネクタを用いて、第２の接続手段と第３の接続手段とを接続することもできるし、第２の接続手段に制御装置を接続することもできる。
【００１５】
したがって、本発明の請求項２に係る測定モジュールは、筐体に収容された状態及び単体の状態のいずれの状態でも被測定装置を測定することができる。
【００１６】
本発明の請求項３に係る測定モジュールは、所定のパルスパターンのテスト信号を生成して前記被測定装置に出力するパルスパターン発生器（５１）、前記被測定装置のビット誤り率を検出する誤り率検出器（５０）、及び前記被測定装置からの出力信号の波形を表示するサンプリングオシロスコープ（６０）のうちの少なくともいずれか１つを備えた構成を有している。
【００１７】
この構成により、本発明の請求項３に係る測定モジュールは、パルスパターン発生器、誤り率検出器又はサンプリングオシロスコープのうちの少なくともいずれか１つの機能を用いて、筐体に収容された状態及び単体の状態のいずれの状態でも被測定装置を測定することができる。
【００１８】
本発明の請求項４に係る測定システムは、請求項１から請求項３までのいずれか１項に記載の測定モジュールと、前記測定を制御する制御装置（７０）と、を備えた測定システム（１、６）であって、前記測定モジュールが前記筐体に収容された状態で使用される場合には、前記第２の接続手段と前記第３の接続手段とが、前記第４の接続手段と前記コネクタとが、前記バックプレーンと前記制御装置とが、それぞれ接続された状態で、前記測定部は、前記被測定装置を測定するものであり、前記第１の通信部は、前記第２の通信部及び前記バックプレーンを介して前記測定部が測定した測定データを前記制御装置に送信するものであり、前記測定モジュールが前記筐体に収容されずに単体の状態で使用される場合には、前記第２の接続手段と前記制御装置とが接続された状態で、前記測定部は、前記被測定装置を測定するものであり、前記第１の通信部は、前記測定部が測定した測定データを前記制御装置に送信するものである構成を有している。
【００１９】
この構成により、本発明の請求項４に係る測定システムは、筐体に収容された状態及び単体の状態のいずれの状態でも被測定装置を測定することができる。
【００２０】
本発明の請求項５に係る測定方法は、請求項４に記載の測定システムを用いて前記被測定装置を測定する測定方法であって、前記測定モジュールが前記筐体に収容された状態で使用される場合には、前記第２の接続手段と前記第３の接続手段とが、前記第４の接続手段と前記コネクタとが、前記バックプレーンと前記制御装置とが、それぞれ接続された状態で、前記測定部が、前記被測定装置を測定するステップと、前記第１の通信部が、前記第２の通信部及び前記バックプレーンを介して前記測定部が測定した測定データを前記制御装置に送信するステップと、を含み、前記測定モジュールが前記筐体に収容されずに単体の状態で使用される場合には、前記第２の接続手段と前記制御装置とが接続された状態で、前記測定部が、前記被測定装置を測定するステップと、前記第１の通信部が、前記測定部が測定した測定データを前記制御装置に送信するステップと、を含む構成を有している。
【００２１】
この構成により、本発明の請求項５に係る測定方法は、筐体に収容された状態及び単体の状態のいずれの状態でも被測定装置を測定することができる。
【発明の効果】
【００２２】
本発明は、筐体に収容された状態及び単体の状態のいずれの状態でも被測定装置を測定することができるという効果を有する測定モジュール、測定システム及び測定方法を提供することができるものである。
【図面の簡単な説明】
【００２３】
【図１】本発明に係る測定モジュールがシャーシ内に収容された状態で使用される場合の実施形態の模式図である。
【図２】本発明に係る測定モジュールがシャーシ内に収容されずに単体の状態で使用される場合の実施形態の模式図である。
【図３】本発明に係る測定モジュールの変形例の構成を示す模式図である。
【発明を実施するための形態】
【００２４】
以下、本発明の実施形態について図面を用いて説明する。なお、本発明に係る測定モジュールを備えた測定システムを例に挙げて説明する。
【００２５】
［第１実施形態：筐体内収容状態で使用される場合］
まず、本発明に係る測定モジュールが筐体内に収容された状態で使用される場合の測定システムの実施形態について図１を用いて説明する。
【００２６】
図１に示すように、本実施形態における測定システム１は、シャーシ１０（筐体）を有しＤＵＴ３（被測定装置）を測定する測定装置２と、この測定装置２を制御する制御装置７０と、を備えている。
【００２７】
シャーシ１０は、前面パネル１０ａ及び後面パネル１０ｂを備えている。シャーシ１０には、様々な機能を有する複数の測定モジュールが着脱できるようになっている。測定者は、複数の測定モジュールをシャーシ１０に装着すれば、それらを組み合わせて各種の測定ができる。
【００２８】
測定装置２は、制御装置７０の制御によりＤＵＴ３の測定を行う測定モジュール２０と、シャーシ１０の後面パネル１０ｂ側に設けられたバックプレーン３０と、測定装置２に電力を供給する電源４０と、を備えている。
【００２９】
測定モジュール２０は、前段側（ＤＵＴ３側）の回路である前段回路２０ａと、後段側（バックプレーン３０側）の回路である後段回路２０ｂと、前段回路２０ａと後段回路２０ｂとを接続する第１の通信ケーブル２９と、外部電源（図示省略）に接続される外部電源入力部２８を備えている。この測定モジュール２０は、ＤＵＴ３の電気的特性の測定機能がモジュール化されたものである。具体例を挙げれば、測定モジュール２０は、所定のパルスパターンのテスト信号を生成するパルスパターン発生器や、ビット誤り率を検出する誤り率検出器、信号波形を表示するサンプリングオシロスコープ、信号を解析するシグナルアナライザ、信号を分析するスペクトラムアナライザ等である。本実施形態では、測定モジュール２０は、ＤＵＴ３の出力レベル、送信電力等を測定するものとしている。
【００３０】
前段回路２０ａは、接続端子２１、測定部２２、第１の通信部２３、モジュラジャック２４ａを備えている。この前段回路２０ａは、一端側（接続端子２１側）及び他端側（モジュラジャック２４ａ側）を有し、第１の回路の一例である。なお、前段回路２０ａの一端側及び他端側は、それぞれ、第１の一端側及び第１の他端側に対応する。
【００３１】
接続端子２１は、前段回路２０ａの一端側に設けられている。この接続端子２１は、例えば、ＤＵＴ３が接続可能なコネクタで構成され、ＤＵＴ３に対して信号を入出力可能なものである。なお、接続端子２１は、第１の接続手段の一例である。
【００３２】
測定部２２は、制御装置７０の制御に従って、所定の測定項目についてＤＵＴ３の測定を行うようになっている。例えば、測定部２２は、ＤＵＴ３の出力レベル、送信電力、高調波成分レベル、隣接チャネル漏洩電力、スプリアス等を測定するものである。
【００３３】
第１の通信部２３は、例えばイーサネット（登録商標）等の通信規格に基づいて、後述する他の通信部と通信するようになっている。具体的には、第１の通信部２３は、イーサネット等の通信規格に基づいて、制御装置７０からの測定条件のデータ等を受信して測定部２２に出力するとともに、測定部２２が測定したＤＵＴ３の測定データを制御装置７０に送信するようになっている。以下、本明細書では、各通信部がイーサネットの通信規格に基づいて通信するものとして説明する。
【００３４】
モジュラジャック２４ａは、前段回路２０ａの他端側に設けられている。このモジュラジャック２４ａには、第１の通信ケーブル２９の一端側に設けられたモジュラプラグ２４ｂが着脱可能になっている。本実施形態では、モジュラジャック２４ａ及びモジュラプラグ２４ｂは、イーサネットの通信規格に基づいたものである。なお、モジュラジャック２４ａは、第２の接続手段及び少なくとも１つの通信規格に準拠したコネクタの一例である。
【００３５】
後段回路２０ｂは、モジュラジャック２５ａ、第２の通信部２６、バックプレーンコネクタ２７を備えている。この後段回路２０ｂは、一端側（モジュラジャック２５ａ側）及び他端側（バックプレーンコネクタ２７側）を有し、第２の回路の一例である。なお、後段回路２０ｂの一端側及び他端側は、それぞれ、第２の一端側及び第２の他端側に対応する。
【００３６】
モジュラジャック２５ａは、後段回路２０ｂの一端側に設けられている。このモジュラジャック２５ａには、第１の通信ケーブル２９の他端側に設けられたモジュラプラグ２５ｂが着脱可能になっている。本実施形態では、モジュラジャック２５ａ及びモジュラプラグ２５ｂは、イーサネットの通信規格に基づいたものである。なお、モジュラジャック２５ａは、第３の接続手段及び少なくとも１つの通信規格に準拠したコネクタの一例である。
【００３７】
第２の通信部２６は、イーサネットの通信規格に基づいて他の通信部と通信するようになっている。具体的には、第２の通信部２６は、イーサネットの通信規格に基づいて、前段回路２０ａの第１の通信部２３及びバックプレーン３０の第３の通信部３２（後述）と通信し、制御装置７０からの測定条件のデータ等や、測定部２２が測定したＤＵＴ３の測定データ等を送受信するようになっている。
【００３８】
バックプレーンコネクタ２７は、後段回路２０ｂの他端側に設けられ、バックプレーン３０に設けられたバックプレーンコネクタ３１（後述）と嵌合されるようになっている。測定モジュール２０が、シャーシ１０の前面パネル１０ａ側から図中右方向に挿入されることにより、バックプレーンコネクタ２７とバックプレーンコネクタ３１とが嵌合される。この状態が、測定モジュール２０がシャーシ１０に収容された状態である。なお、バックプレーンコネクタ２７は例えばオス型のコネクタ、バックプレーンコネクタ３１はメス型のコネクタである。また、バックプレーンコネクタ２７は、第４の接続手段の一例である。
【００３９】
第１の通信ケーブル２９は、一端側に設けられたモジュラプラグ２４ｂと、他端側に設けられたモジュラプラグ２５ｂと、を備え、前段回路２０ａの他端側と後段回路２０ｂの一端側とを互いに電気的に通信可能に接続できるようになっている。第１の通信ケーブル２９は、例えばＬＡＮケーブルである。
【００４０】
外部電源入力部２８は、測定モジュール２０が単体で使用される場合に、外部電源に接続され、その外部電源から電力を入力するようになっている。
【００４１】
バックプレーン３０は、測定モジュール２０と制御装置７０との間の通信を中継するとともに、測定モジュール２０に電源を供給する機能を有している。このバックプレーン３０は、測定モジュール２０が接続可能なバックプレーンコネクタ３１と、他の通信部と通信する第３の通信部３２と、制御装置７０と通信するためのモジュラジャック３３ａと、を備えている。また、バックプレーン３０は、第２の通信ケーブル４により制御装置７０と互いに電気的に通信可能に接続されている。第２の通信ケーブル４の一端側には、モジュラジャック３３ａに着脱可能なモジュラプラグ３３ｂが設けられている。なお、バックプレーンコネクタ３１は、コネクタの一例である。
【００４２】
電源４０は、測定モジュール２０がシャーシ１０に収容された状態で使用される場合に、測定モジュール２０及びバックプレーン３０に電力を供給するようになっている。なお、測定モジュール２０への電力は、バックプレーンコネクタ３１及び２７を介して供給される。
【００４３】
制御装置７０は、例えばパーソナルコンピュータにより構成され、モジュラジャック７１ａ、第４の通信部７２、操作部７３、表示部７４、制御部７５を備えている。
【００４４】
モジュラジャック７１ａには、第２の通信ケーブル４の他端側に設けられたモジュラプラブ７１ｂが装着されている。
【００４５】
第４の通信部７２は、測定モジュール２０がシャーシ１０に収容された状態では、第２の通信ケーブル４及びバックプレーン３０を介して測定モジュール２０と通信するようになっている。
【００４６】
操作部７３は、ＤＵＴ３の測定における各測定条件を設定するため、測定者が操作するものであって、例えば、キーボード、ダイヤル又はマウスのような入力デバイス、これらを制御する制御回路やソフトウェア等で構成されている。
【００４７】
表示部７４は、例えば液晶ディスプレイで構成され、操作部７３によって入力された情報や、ＤＵＴ３の測定条件及び測定結果等を表示するようになっている。
【００４８】
制御部７５は、制御装置７０の全体の制御や、測定モジュール２０の制御等を行うようになっている。なお、制御装置７０とＤＵＴ３との間でも通信を行う構成とすることによって、ＤＵＴ３の動作の制御を行う構成とすることもできる。
【００４９】
次に、本実施形態における測定システム１の動作について概要を説明する。
【００５０】
測定者により操作部７３が操作され、ＤＵＴ３の測定条件が設定される。設定された測定条件のデータは、制御部７５の制御に従って、第４の通信部７２により、イーサネットの通信規格に基づいて、バックプレーン３０の第３の通信部３２、測定モジュール２０の第２の通信部２６等を経由して測定モジュール２０の第１の通信部２３に送信される。
【００５１】
第１の通信部２３は、ＤＵＴ３の測定条件のデータを測定部２２に出力する。測定部２２は、入力した測定条件のデータに基づいて、ＤＵＴ３を測定するステップを実行し、取得した測定データを第１の通信部２３に出力する。
【００５２】
第１の通信部２３は、イーサネットの通信規格に基づいて、ＤＵＴ３の測定データを第２の通信部２６、バックプレーン３０の第３の通信部３２等を経由して制御装置７０の第４の通信部７２に送信するステップを実行する。
【００５３】
制御装置７０の制御部７５は、第４の通信部７２が取得したＤＵＴ３の測定データを表示部７４に表示する。
【００５４】
以上のように、本実施形態における測定システム１は、測定モジュール２０が、ＤＵＴ３側の前段回路２０ａと、バックプレーン３０側の後段回路２０ｂと、前段回路２０ａの後段回路２０ｂ側に設けられたモジュラジャック２４ａと、後段回路２０ｂの前段回路２０ａ側に設けられたモジュラジャック２５ａと、を備え、モジュラジャック２４ａとモジュラジャック２５ａとを電気的に接続可能としたので、次の２つの測定の形態のいずれか一方をユーザに選択させることができる。
【００５５】
すなわち、本実施形態における測定システム１は、測定モジュール２０がシャーシ１０に収容された状態で使用される場合には、モジュラジャック２４ａとモジュラジャック２５ａとが第１の通信ケーブル２９により互いに電気的に通信可能に接続され、ＤＵＴ３の測定を制御する制御装置７０がバックプレーン３０のコネクタ３３ａに接続された状態で、第１の通信部２３及び第２の通信部２６が制御装置７０と通信し、測定部２２の測定データを制御装置７０に送信することにより、ＤＵＴ３を測定することができる。
【００５６】
一方、本実施形態における測定システム１は、測定モジュール２０がシャーシ１０に収容されずに単体の状態で使用される場合には、モジュラジャック２４ａに制御装置７０が、図１に破線で示した第３の通信ケーブル５により互いに電気的に通信可能に接続された状態で、第１の通信部２３が制御装置７０と通信し、測定部２２の測定データを制御装置７０に送信することにより、ＤＵＴ３を測定することができる。この測定方法については、第２実施形態で説明する。
【００５７】
したがって、本実施形態における測定システム１は、シャーシ１０に収容された状態及び単体の状態のいずれの状態でもＤＵＴ３を測定することができる。
【００５８】
また、本実施形態における測定システム１では、測定モジュール２０の前段回路２０ａと後段回路２０ｂとを分離し、両者間を第１の通信ケーブル２９で接続可能とする構成としたので、測定モジュール２０、バックプレーン３０又は電源４０に不具合が発生した場合、その原因究明が従来よりも容易となる。すなわち、測定モジュール２０の構成により、不具合の原因が前段回路２０ａ又は後段回路２０ｂ以降の後段のいずれにあるのかを切り分けて解明することができるので、本実施形態における測定モジュール２０は、回路が一体化された従来のものよりも原因究明の容易化を図ることができる。
【００５９】
［第２実施形態：単体状態で使用される場合］
次に、本発明に係る測定モジュールがシャーシ内に収容されずに単体の状態で使用される場合の測定システムの実施形態について図２を用いて説明する。なお、図１に示した第１実施形態と同様の構成には同一の符号を付し、重複する説明を省略する場合がある。
【００６０】
図２に示すように、測定システム６は、誤り率検出器５０、サンプリングオシロスコープ６０、制御装置７０、外部電源８１、ハブ８２を備えている。この構成において、測定モジュールの一例である誤り率検出器５０及びサンプリングオシロスコープ６０は、図１に示した測定モジュール２０とは異なり、シャーシ１０内に収容されずに単体の状態で使用されるものである。
【００６１】
外部電源８１は、単体の状態で使用される誤り率検出器５０及びサンプリングオシロスコープ６０に電力を供給するものである。
【００６２】
ハブ８２は、例えばスイッチングハブで構成され、第４の通信ケーブル７、第５の通信ケーブル８及び第６の通信ケーブル９により、それぞれ、誤り率検出器５０、サンプリングオシロスコープ６０及び制御装置７０に接続されている。
【００６３】
なお、制御装置７０は、図１に示した構成と同じ構成であって、制御対象の測定モジュールである誤り率検出器５０及びサンプリングオシロスコープ６０にＩＰアドレスを割り当てて各種制御を行うようになっている。
【００６４】
（誤り率検出器の構成）
誤り率検出器５０は、所定の通信規格でのＢＥＲ（Bit Error Rate：ビット誤り率）を検出するものであって、前段回路５０ａ、後段回路５０ｂ、パルスパターン発生器５１、出力端子５１ａ、外部電源入力部５９を備えている。なお、出力端子５１ａは、第１の接続手段の一例である。
【００６５】
パルスパターン発生器５１は、制御装置７０の制御に従って、誤り率を検出するための予め定められたパルスパターンの信号を発生し出力端子５１ａを介して、例えば携帯端末であるＤＵＴ３に出力するようになっている。これに応じてＤＵＴ３は、入力したパルスパターンの信号に対応した信号を接続端子５２（後述）に出力する。
【００６６】
前段回路５０ａは、接続端子５２、誤り率測定部５３、第５の通信部５４、モジュラジャック５５ａを備えている。この前段回路５０ａは、一端側（接続端子５２側）及び他端側（モジュラジャック５５ａ側）を有し、第１の回路の一例である。なお、前段回路５０ａの一端側及び他端側は、それぞれ、第１の一端側及び第１の他端側に対応する。
【００６７】
接続端子５２は、前段回路５０ａの一端側に設けられている。この接続端子５２は、ＤＵＴ３が出力した信号を入力し、誤り率測定部５３に出力するようになっている。この接続端子５２は、第１の接続手段の一例である。
【００６８】
誤り率測定部５３は、制御装置７０の制御に従って、ＤＵＴ３の出力信号に基づいて所定の通信規格でのＢＥＲを測定し、取得したＢＥＲの測定データを第５の通信部５４に出力するようになっている。
【００６９】
第５の通信部５４は、第４の通信ケーブル７、ハブ８２及び第６の通信ケーブル９を介し、イーサネットの通信規格に基づいて制御装置７０と通信するようになっている。具体的には、第５の通信部５４は、第４の通信ケーブル７、ハブ８２及び第６の通信ケーブル９を介し、イーサネットの通信規格に基づいて、制御装置７０からの測定条件のデータを受信してパルスパターン発生器５１及び誤り率測定部５３に出力するとともに、誤り率測定部５３が測定したＢＥＲの測定データを制御装置７０に送信するようになっている。
【００７０】
モジュラジャック５５ａは、前段回路５０ａの他端側に設けられている。このモジュラジャック５５ａには、第４の通信ケーブル７の一端側に設けられたモジュラプラグ５５ｂが装着されている。本実施形態では、モジュラジャック５５ａ及びモジュラプラグ５５ｂは、イーサネットの通信規格に基づいたものである。なお、モジュラジャック５５ａ及びモジュラプラグ５５ｂは、少なくとも１つの通信規格に準拠したコネクタの一例である。
【００７１】
後段回路５０ｂは、モジュラジャック５６ａ、第６の通信部５７、バックプレーンコネクタ５８を備えている。この後段回路５０ｂは、図１に示した後段回路２０ｂと同じ構成であるので、説明を省略する。なお、後段回路５０ｂは、一端側（モジュラジャック５６ａ側）及び他端側（バックプレーンコネクタ５８側）を有し、第２の回路の一例である。また、後段回路５０ｂの一端側及び他端側は、それぞれ、第２の一端側及び第２の他端側に対応する。また、モジュラジャック５６ａは、第３の接続手段及び少なくとも１つの通信規格に準拠したコネクタの一例である。また、バックプレーンコネクタ５８は、第２の接続手段の一例である。
【００７２】
外部電源入力部５９は、誤り率検出器５０に電力を供給する外部電源８１に接続されている。
【００７３】
なお、本実施形態では、パルスパターン発生器５１を誤り率検出器５０内に設ける構成としたが、パルスパターン発生器５１を１つの測定モジュールとして独立させる構成としてもよい。この場合、パルスパターン発生器５１を含む測定モジュールを、図１に示した測定モジュール２０のように構成すれば、シャーシ１０に収容された状態及び単体の状態のいずれの状態でも、制御装置７０の制御に従って、パルスパターンの信号を被測定装置に出力することができることとなる。
【００７４】
（サンプリングオシロスコープの構成）
サンプリングオシロスコープ６０は、前段回路６０ａ、後段回路６０ｂ、外部電源入力部６８を備えている。
【００７５】
前段回路６０ａは、接続端子６１、サンプリングＯＳＣ（オシロスコープ）部６２、第７の通信部６３、モジュラジャック６４ａを備えている。この前段回路６０ａは、一端側（接続端子６１側）及び他端側（モジュラジャック６４ａ側）を有し、第１の回路の一例である。なお、前段回路６０ａの一端側及び他端側は、それぞれ、第１の一端側及び第１の他端側に対応する。
【００７６】
接続端子６１は、前段回路６０ａの一端側に設けられている。この接続端子６１は、ＤＵＴ３が出力した信号を入力し、サンプリングＯＳＣ部６２に出力するようになっている。なお、接続端子６１は、第１の接続手段の一例である。
【００７７】
サンプリングＯＳＣ部６２は、制御装置７０の制御に従って、ＤＵＴ３が出力したアナログ波形データをデジタル信号に変換し、電圧や電流の値が時間的に変化する事象を離散的にサンプリングして得た波形データを生成するようになっている。生成された波形データは、第７の通信部６３に出力され、最終的には観測用の波形として、制御装置７０の表示部７４に表示される。
【００７８】
第７の通信部６３は、第５の通信ケーブル８、ハブ８２及び第６の通信ケーブル９を介し、イーサネットの通信規格に基づいて制御装置７０と通信するようになっている。具体的には、第７の通信部６３は、第５の通信ケーブル８、ハブ８２及び第６の通信ケーブル９を介し、イーサネットの通信規格に基づいて、制御装置７０からの測定条件のデータを受信してサンプリングＯＳＣ部６２に出力するとともに、サンプリングＯＳＣ部６２が生成した波形データを制御装置７０に送信するようになっている。
【００７９】
モジュラジャック６４ａは、前段回路６０ａの他端側に設けられている。このモジュラジャック６４ａには、第５の通信ケーブル８の一端側に設けられたモジュラプラグ６４ｂが装着されている。本実施形態では、モジュラジャック６４ａ及びモジュラプラグ６４ｂは、イーサネットの通信規格に基づいたものである。なお、モジュラジャック６４ａ及びモジュラプラグ６４ｂは、少なくとも１つの通信規格に準拠したコネクタの一例である。
【００８０】
後段回路６０ｂは、モジュラジャック６５ａ、第８の通信部６６、バックプレーンコネクタ６７を備えている。この後段回路６０ｂは、図１に示した後段回路２０ｂと同じ構成であるので説明を省略する。なお、後段回路６０ｂは、一端側（モジュラジャック６５ａ側）及び他端側（バックプレーンコネクタ６７側）を有し、第２の回路の一例である。また、後段回路６０ｂの一端側及び他端側は、それぞれ、第２の一端側及び第２の他端側に対応する。また、モジュラジャック６５ａは、第３の接続手段及び少なくとも１つの通信規格に準拠したコネクタの一例である。また、バックプレーンコネクタ６７は、第２の接続手段の一例である。
【００８１】
外部電源入力部６８は、サンプリングオシロスコープ６０に電力を供給する外部電源８１に接続されている。
【００８２】
次に、本実施形態における測定システム６の動作について概要を説明する。
【００８３】
制御部７５の制御により、誤り率検出器５０及びサンプリングオシロスコープ６０に、それぞれ異なるＩＰアドレスが割り当てられる。
【００８４】
測定者により操作部７３が操作され、ＤＵＴ３の測定条件が設定される。設定された測定条件のデータは、制御部７５の制御に従って、第４の通信部７２により、イーサネットの通信規格に基づいて、ハブ８２等を経由して誤り率検出器５０の第５の通信部５４、サンプリングオシロスコープ６０の第７の通信部６３に送信される。
【００８５】
第５の通信部５４は、ＤＵＴ３の測定条件のデータをパルスパターン発生器５１に出力する。パルスパターン発生器５１は、入力した測定条件のデータに基づいて、所定のパルスパターンの信号を発生し、出力端子５１ａを介してＤＵＴ３に出力する。
【００８６】
また、第５の通信部５４は、ＤＵＴ３の測定条件のデータを誤り率測定部５３に出力する。誤り率測定部５３は、入力した測定条件のデータに基づいて、所定の通信規格でのＢＥＲを測定し（ＤＵＴ３を測定するステップ）、取得したＢＥＲの測定データを第５の通信部５４に出力する。
【００８７】
第５の通信部５４は、イーサネットの通信規格に基づいて、ＤＵＴ３の測定データをハブ８２等を経由して制御装置７０の第４の通信部７２に送信するステップを実行する。
【００８８】
一方、サンプリングオシロスコープ６０において、サンプリングＯＳＣ部６２は、ＤＵＴ３が出力した信号の波形データを生成し（ＤＵＴ３を測定するステップ）、生成した波形データを第７の通信部６３に出力する。
【００８９】
第７の通信部６３は、イーサネットの通信規格に基づいて、ＤＵＴ３の波形データをハブ８２等を経由して制御装置７０の第４の通信部７２に送信するステップを実行する。
【００９０】
制御装置７０の制御部７５は、第４の通信部７２が取得したＤＵＴ３の測定データと、サンプリングＯＳＣ部６２が生成した波形データを表示部７４に表示する。
【００９１】
以上のように、本実施形態における測定システム６は、誤り率検出器５０の前段回路５０ａと後段回路５０ｂとを分離するとともに、サンプリングオシロスコープ６０の前段回路６０ａと後段回路６０ｂとを分離した構成を有する。
【００９２】
その結果、本実施形態における測定システム６は、誤り率検出器５０の前段回路５０ａと、サンプリングオシロスコープ６０の前段回路６０ａとをハブ８２を介して制御装置７０と互いに電気的に通信可能に接続する構成にできるので、単体の状態でＤＵＴ３を測定することができる。
【００９３】
一方、第１実施形態（図１参照）で説明したように、誤り率検出器５０及びサンプリングオシロスコープ６０をシャーシ１０に収納して、誤り率検出器５０の前段回路５０ａと後段回路５０ｂとを通信ケーブルで接続するとともに、サンプリングオシロスコープ６０の前段回路６０ａと後段回路６０ｂとを通信ケーブルで接続する構成とすることもできる。
【００９４】
したがって、本実施形態における測定装置は、シャーシ１０に収容された状態及び単体の状態のいずれの状態でもＤＵＴ３を測定することができる。
【００９５】
さらに、測定装置の開発側は、従来のように、シャーシに収納可能な測定モジュールと、単体の状態で使用する測定装置とを別個に開発する必要がなく、測定モジュールを単体測定器として製品化することが可能となるので、開発期間の短縮化や開発効率の向上等を図ることができる。一方、測定装置のユーザ側は、所望の測定モジュールを購入すればパーソナルコンピュータ及び測定用のソフトウェアでＤＵＴの測定が可能となり、シャーシを購入することなくＤＵＴの測定を行うことができるので、設備投資を低減することができる。
【００９６】
［変形例］
前述の第１実施形態及び第２実施形態では、前段回路と後段回路とをイーサネットの通信規格に基づいたコネクタで互いに電気的に通信可能に接続する構成を説明したが、例えば図３に示すように構成することもできる。
【００９７】
図３に示した変形例における測定モジュール９０は、前段回路９０ａ、後段回路２０ｂ、外部電源入力部２８を備えている。なお、後段回路２０ｂ及び外部電源入力部２８については、図１に示した構成と同じであるので説明を省略する。
【００９８】
前段回路９０ａは、イーサネットの通信規格に基づいたモジュラジャック２４ａの他に、ＵＳＢ（Universal Serial Bus）の通信規格に基づいたＵＳＢコネクタ９１と、ＰＣＩｅ（PCI express）の通信規格に基づいたＰＣＩｅコネクタ９３と、を備えている。この前段回路９０ａは、第１の回路の一例である。なお、ＵＳＢコネクタ９１及びＰＣＩｅコネクタ９３は、第２の接続手段の一例である。
【００９９】
また、前段回路９０ａは、イーサネットの通信規格の信号をＵＳＢの通信規格の信号に変換する変換部９２と、イーサネットの通信規格の信号をＰＣＩｅの通信規格の信号に変換する変換部９４と、を備えている。
【０１００】
この構成により、変形例における測定モジュール９０は、単体の状態で使用される場合には、イーサネット、ＵＳＢ及びＰＣＩｅの通信規格のいずれか１つを測定者が選択して所定のケーブルで制御装置７０と接続することにより、通信規格の多様化が図れ、所望の通信規格でＤＵＴ３の測定を行うことができて好ましい。
【０１０１】
なお、この変形例では、イーサネットの通信規格のコネクタ（モジュラジャック２４ａ）に加えて、ＵＳＢ及びＰＣＩｅの通信規格に基づいたコネクタを例に挙げて説明したが、本発明はこれに限定されず、他の通信規格や接続規格のコネクタを使用する構成としても同様の効果が得られる。
【産業上の利用可能性】
【０１０２】
以上のように、本発明に係る測定モジュール、測定システム及び測定方法は、筐体に収容された状態及び単体の状態のいずれの状態でも被測定装置を測定することができるという効果を有し、被測定装置に対して各種の測定を行う測定モジュール、測定システム及び測定方法として有用である。
【符号の説明】
【０１０３】
１、６  測定システム
２  測定装置
３  ＤＵＴ（被測定装置）
４  第２の通信ケーブル
５  第３の通信ケーブル
７  第４の通信ケーブル
８  第５の通信ケーブル
９  第６の通信ケーブル
１０  シャーシ（筐体）
２０、９０  測定モジュール
２０ａ、５０ａ、６０ａ、９０ａ  前段回路（第１の回路）
２０ｂ、５０ｂ、６０ｂ  後段回路（第２の回路）
２１、５１ａ、５２、６１  接続端子（第１の接続手段）
２３  第１の通信部
２４ａ、５５ａ、６４ａ  モジュラジャック（第２の接続手段、通信規格に準拠したコネクタ）
２４ｂ、２５ｂ、５５ｂ、６４ｂ  モジュラプラグ
２５ａ、５６ａ、６５ａ  モジュラジャック（第３の接続手段、通信規格に準拠したコネクタ）
２６  第２の通信部
２７、５８、６７  バックプレーンコネクタ（第４の接続手段）
２９  第１の通信ケーブル
３０  バックプレーン
３１  バックプレーンコネクタ（コネクタ）
３２  第３の通信部
３３ａ  モジュラジャック
５０  誤り率検出器（測定モジュール）
５１  パルスパターン発生器（測定モジュール）
５４  第５の通信部
５７  第６の通信部
６０  サンプリングオシロスコープ（測定モジュール）
６３  第７の通信部
６６  第８の通信部
７０  制御装置
７２  第４の通信部
９１  ＵＳＢコネクタ（通信規格に準拠したコネクタ）
９３  ＰＣＩｅコネクタ（通信規格に準拠したコネクタ）
【図１】
2018129740.tif 000003
【図２】
2018129740.tif 000004
【図３】
2018129740.tif 000005